【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
ウェブサーバに対してドキュメントを要求する要求手段と、
前記要求手段による要求に基づいて前記ウェブサーバから送信されるドキュメントを受信する受信手段と、
前記要求手段が要求を行う際に指定したクエリパラメータに基づいて、前記受信手段が受信するドキュメントに対して実行する処理を決定する決定手段と、
前記受信手段が受信したドキュメントに対して、前記決定手段が決定した処理を実行する処理手段と、
を有することを特徴とする情報処理装置。
【請求項２】
前記ウェブサーバから画面情報を受信し、ユーザによる処理の選択を受け付けるための操作画面を表示するウェブブラウザ、を更に有することを特徴とする請求項１に記載の情報処理装置。
【請求項３】
前記クエリパラメータは、前記ウェブサーバから受信する前記画面情報に含まれていることを特徴とする請求項２に記載の情報処理装置。
【請求項４】
前記要求手段が要求を行う際に前記クエリパラメータが指定されていなかった場合、前記受信手段が受信するドキュメントに対して実行する処理の選択を、前記要求手段が要求を行った後にユーザから受け付ける受付手段、を更に有することを特徴とする請求項１乃至３のいずれか１項に記載の情報処理装置。
【請求項５】
前記受付手段は、更に、前記決定手段が決定した処理を実行可能でない場合に、前記受信手段が受信するドキュメントに対して実行する処理の選択を、前記要求手段が要求を行った後にユーザから受け付けることを特徴とする請求項４に記載の情報処理装置。
【請求項６】
前記処理手段が実行する処理は、前記受信手段が受信したドキュメントを印刷する処理を含むことを特徴とする請求項１乃至５のいずれか１項に記載の情報処理装置。
【請求項７】
前記処理手段が実行する処理は、前記受信手段が受信したドキュメントを前記情報処理装置内の記憶部に格納する処理を含むことを特徴とする請求項１乃至６のいずれか１項に記載の情報処理装置。
【請求項８】
前記ウェブサーバが予め指定されたウェブサーバであるか否かを判定する判定手段、を更に有し、
前記処理手段は、前記ウェブサーバが予め指定されたウェブサーバであると判定された場合に、前記受信手段が受信したドキュメントに対して、前記決定手段が決定した処理を実行する、ことを特徴とする請求項１乃至７のいずれか１項に記載の情報処理装置。
【請求項９】
情報処理装置において実行される情報処理方法であって、
ウェブサーバに対してドキュメントを要求し、
前記要求に基づいて前記ウェブサーバから送信されるドキュメントを受信し、
前記要求を行う際に指定したクエリパラメータに基づいて、前記受信するドキュメントに対して実行する処理を決定し、
前記受信したドキュメントに対して、前記決定した処理を実行する、
ことを特徴とする情報処理方法。
【請求項１０】
前記情報処理装置は、前記ウェブサーバから画面情報を受信し、ユーザによる処理の選択を受け付けるための操作画面を表示するウェブブラウザを有することを特徴とする請求項９に記載の情報処理方法。
【請求項１１】
前記クエリパラメータは、前記ウェブサーバから受信する前記画面情報に含まれていることを特徴とする請求項１０に記載の情報処理方法。
【請求項１２】
前記要求を行う際に前記クエリパラメータが指定されていなかった場合に、前記受信したドキュメントに対して実行する処理の選択を、前記要求を行った後にユーザから受け付けることを特徴とする請求項９乃至１１のいずれか１項に記載の情報処理方法。
【請求項１３】
前記決定した処理を実行可能でない場合にも、前記受信したドキュメントに対して実行する処理の選択を、前記要求を行った後にユーザから受け付けることを特徴とする請求項１２に記載の情報処理方法。
【請求項１４】
前記実行する処理は、前記受信したドキュメントを印刷する処理を含むことを特徴とする請求項９乃至１３のいずれか１項に記載の情報処理方法。
【請求項１５】
前記実行する処理は、前記受信したドキュメントを前記情報処理装置内の記憶部に格納する処理を含むことを特徴とする請求項９乃至１４のいずれか１項に記載の情報処理方法。
【請求項１６】
前記ウェブサーバが予め指定されたウェブサーバであるか否かを判定し、
前記ウェブサーバが予め指定されたウェブサーバであると判定された場合に、前記受信したドキュメントに対して、前記決定した処理を実行することを特徴とする請求項９乃至１５のいずれか１項に記載の情報処理方法。
【請求項１７】
ウェブサーバに対してドキュメントを要求し、
前記要求に基づいて前記ウェブサーバから送信されるドキュメントを受信し、
前記要求を行う際に指定したクエリパラメータに基づいて、前記受信するドキュメントに対して実行する処理を決定し、
前記受信したドキュメントに対して、前記決定した処理を実行する、
ようにコンピュータを実行させるためのプログラム。
【請求項１８】
情報処理装置とウェブサーバとを含む情報処理システムであって、
前記情報処理装置は、
前記ウェブサーバに対してドキュメントを要求する要求手段と、
前記要求手段による要求に基づいて前記ウェブサーバからドキュメントを受信する受信手段と、
前記要求手段が要求を行う際に指定したクエリパラメータに基づいて、前記受信手段が受信するドキュメントに対して実行する処理を決定する決定手段と、
前記受信手段が受信したドキュメントに対して、前記決定手段が決定した処理を実行する処理手段と、を有し、
前記ウェブサーバは、
前記要求手段によるドキュメントの要求を受け付ける受付手段と、
前記受付手段が受け付けた要求に基づいて前記情報処理装置にドキュメントを送信する送信手段と、を有することを特徴とする情報処理システム。
【手続補正２】
【補正対象書類名】明細書
【補正対象項目名】発明の名称
【補正方法】変更
【補正の内容】
【発明の名称】情報処理装置、情報処理方法、プログラム、及び、情報処理システム
【手続補正３】
【補正対象書類名】明細書
【補正対象項目名】０００１
【補正方法】変更
【補正の内容】
【０００１】
ウェブサーバから取得したドキュメントを処理する情報処理装置、情報処理方法、プログラム、及び、情報処理システムに関する。
【手続補正４】
【補正対象書類名】明細書
【補正対象項目名】０００８
【補正方法】変更
【補正の内容】
【０００８】
本発明の目的は、このような従来の問題点を解決することにある。上記の点に鑑み、本発明は、ウェブサーバから取得したドキュメントに対しての処理を効率的に行う情報処理装置、情報処理方法、プログラム、及び、情報処理システムを提供することを目的とする。
【手続補正５】
【補正対象書類名】明細書
【補正対象項目名】０００９
【補正方法】変更
【補正の内容】
【０００９】
上記課題を解決するため、本発明に係る情報処理装置は、ウェブサーバに対してドキュメントを要求する要求手段と、前記要求手段による要求に基づいて前記ウェブサーバから送信されるドキュメントを受信する受信手段と、前記要求手段が要求を行う際に指定したクエリパラメータに基づいて、前記受信手段が受信するドキュメントに対して実行する処理を決定する決定手段と、前記受信手段が受信したドキュメントに対して、前記決定手段が決定した処理を実行する処理手段と、を有することを特徴とする。